(57)【要約】【課題】資源回収への協力意欲を向上させ、資源の回収効率や回収率を高める。【解決手段】クーポン関連情報管理サーバ１０が、食用油などの資源を提出したユーザに対して付与された回収カウントを回収カウント管理情報テーブルに蓄積し、所定のウェブサイトの閲覧要求を示すサイト閲覧要求情報を受け付け、回収カウント管理情報テーブルを参照してユーザに付与されている回収カウント値に基づいてウェブサイトの閲覧を許容するか否かを判定し、許容判定に応じてウェブサイトに掲載する広告を示す広告情報を検索し、検索した広告情報が示す広告が掲載されたウェブサイトを示すサイト情報を提供し、ウェブサイトに掲載された広告の閲覧状況に基づきポイント値を決定して付与し、クーポン発行要求を受け付けたことに基づいてクーポンの発行指示を示すクーポン発行指示情報を送信する。【選択図】図６
2008310544.tif 000002
【特許請求の範囲】
【請求項１】
ユーザに付与されたポイントを管理するポイント管理情報と、回収対象となっている資源の提出に応じてユーザに付与される回収カウントを含む回収カウント管理情報とを含むクーポンの発行に用いられるクーポン関連情報を管理するクーポン関連情報管理サーバであって、
前記資源を提出したユーザに対して付与された回収カウントを、前記回収カウント管理情報を記憶する回収カウント蓄積ＤＢに蓄積する回収カウント蓄積手段と、
所定のウェブサイトの閲覧要求を示すサイト閲覧要求情報を受け付けるサイト閲覧要求情報受付手段と、
前記サイト閲覧要求情報が示す閲覧要求を受けたときに、回収カウント蓄積ＤＢを参照してユーザに付与されている回収カウント値に基づいて、前記ウェブサイトの閲覧を許容するか否かを判定する閲覧判定手段と、
該閲覧判定手段の許容判定に応じて、前記ウェブサイトに掲載する広告を示す広告情報を検索する広告情報検索手段と、
該広告情報検索手段によって検索された広告情報が示す広告が掲載された前記ウェブサイトを示すサイト情報を提供するサイト情報提供手段と、
前記ウェブサイトに掲載された広告の閲覧状況に基づきポイント値を決定して付与するポイント付与手段と、
クーポン発行要求を受け付けるクーポン発行要求受付手段と、
前記クーポン発行要求を受け付けたことに基づいて、クーポンの発行指示を示すクーポン発行指示情報を送信する発行指示手段とを含む
ことを特徴とするクーポン関連情報管理サーバ。
【請求項２】
前記クーポン発行要求を受け付けたときに、付与済のポイント値に応じたクーポンの発行枚数を決定する発行枚数決定手段と、
クーポンの発行枚数分のクーポン識別コードを決定するコード決定手段と、
決定したクーポン識別コードと、未使用である旨の現在状況情報とを含むクーポン管理情報を登録するクーポン管理情報登録手段とを含み、
前記発行指示手段は、決定したクーポンの発行枚数と、決定したクーポン識別コードとを含むクーポン発行指示情報を送信する
請求項１記載のクーポン関連情報管理サーバ。
【請求項３】
決済に使用されるクーポンに印字されているクーポン識別コードを提示した解析要求を受け付ける解析要求受付手段と、
前記クーポン管理情報を参照して、提示されたクーポン識別コードを認証するか否かを判定する認証判定手段と、
該認証判定手段の判定結果を送信する判定結果送信手段とを含む
請求項２記載のクーポン関連情報管理サーバ。
【請求項４】
前記認証判定手段は、提示されたクーポン識別コードが前記クーポン管理情報として登録されているか否かを確認し、確認結果に応じて認証するか否かを判定する
請求項３記載のクーポン関連情報管理サーバ。
【請求項５】
前記クーポン管理情報登録手段は、クーポンを発行するユーザを示すユーザＩＤに、クーポン識別コードと、未使用である旨の現在状況情報とが対応付けされたクーポン管理情報を登録し、
前記解析要求受付手段は、決済に使用されるクーポンに印字されているクーポン識別コードと、クーポンを使用するユーザのユーザＩＤとを提示した解析要求を受け付け、
前記認証判定手段は、提示されたクーポン識別コードが提示されたユーザＩＤに対応付けされて登録されているか否かを確認し、確認結果に応じて認証するか否かを判定する
請求項４記載のクーポン関連情報管理サーバ。
【請求項６】
前記認証判定手段は、提示されたクーポン識別コードに対応付けされている現在状況情報が未使用である旨を示しているか否かを確認し、確認結果に応じて認証するか否かを判定する
請求項３から請求項５のうちいずれかに記載のクーポン関連情報管理サーバ。
【請求項７】
前記認証判定手段が提示されたクーポン識別コードを認証すると決定したことに応じて、当該クーポン識別コードに対応付けされている現在状況情報を使用済である旨に更新する現在状況情報更新手段を含む
請求項３から請求項６のうちいずれかに記載のクーポン関連情報管理サーバ。
【請求項８】
クーポン識別コードは、対応するクーポンを一意に特定可能なコードである
請求項２から請求項７のうちいずれかに記載のクーポン関連情報管理サーバ。
【請求項９】
前記資源は、所定の回収ボックスに収容された状態で回収され、
回収された回収ボックスの数に応じて付与される回収カウントの値が決定される
請求項１から請求項８のうちいずれかに記載のクーポン関連情報管理サーバ。
【請求項１０】
前記閲覧判定手段は、ユーザに付与されている回収カウント値があらかじめ定められた所定値以上であるか否かを確認し、当該所定値以上であれば前記ウェブサイトの閲覧を許容すると判定する
請求項１から請求項９のうちいずれかに記載のクーポン関連情報管理サーバ。
【発明の詳細な説明】
【技術分野】
【０００１】
本発明は、ユーザに付与されたポイントを管理するポイント管理情報と、回収対象となっている資源の提出に応じてユーザに付与される回収カウントを含む回収カウント管理情報とを含むクーポンの発行に用いられるクーポン関連情報を管理するクーポン関連情報管理サーバに関する。
【背景技術】
【０００２】
従来から、食用油などの資源を回収し、リサイクルして有効活用することが望まれており、その回収効率や回収率をいかにして高めるかが課題となっている。資源の回収効率や回収率を高めるためには、資源を所有している所有者が積極的に回収に協力するように、資源回収の協力に対する特典を付与することが考えられる。
【０００３】
例えば特許文献１には、資源ゴミが回収ボックスに回収されたことに応じてその代価に応じた利益が還元されるようにした資源ゴミ回収システムが開示されている。また、特許文献２には、資源となる物品が回収される毎に回収量が集計され、資源となる物品を提出した顧客にサービス情報を付与する電子式キャッシュレジスタが開示されている。
【０００４】
【特許文献１】特開２００１−２３３４０２号公報
【特許文献２】特開平５−１７４２５４号公報
【発明の開示】
【発明が解決しようとする課題】
【０００５】
上述した特許文献１−２に記載された従来の回収システムでは、資源を所有している所有者によって提出された資源の価値に応じて特典が付与されるため、特典の内容が制限されてしまい、資源回収への協力意欲を向上させることが困難であった。このため、資源の回収効率や回収率を高めることができないという問題があった。
【０００６】
本発明は、上述した問題を解消し、資源回収への協力意欲を向上させることができ、資源の回収効率や回収率を高めることができるようにすることを目的とする。
【課題を解決するための手段】
【０００７】
本発明のクーポン関連情報管理サーバは、ユーザに付与されたポイントを管理するポイント管理情報と、回収対象となっている資源の提出に応じてユーザに付与される回収カウントを含む回収カウント管理情報とを含むクーポンの発行に用いられるクーポン関連情報を管理するクーポン関連情報管理サーバであって、前記資源を提出したユーザに対して付与された回収カウントを、前記回収カウント管理情報を記憶する回収カウント蓄積ＤＢに蓄積する回収カウント蓄積手段と、所定のウェブサイトの閲覧要求を示すサイト閲覧要求情報を受け付けるサイト閲覧要求情報受付手段と、前記サイト閲覧要求情報が示す閲覧要求を受けたときに、回収カウント蓄積ＤＢを参照してユーザに付与されている回収カウント値に基づいて、前記ウェブサイトの閲覧を許容するか否かを判定する閲覧判定手段と、該閲覧判定手段の許容判定に応じて、前記ウェブサイトに掲載する広告を示す広告情報を検索する広告情報検索手段と、該広告情報検索手段によって検索された広告情報が示す広告が掲載された前記ウェブサイトを示すサイト情報を提供するサイト情報提供手段と、前記ウェブサイトに掲載された広告の閲覧状況に基づきポイント値を決定して付与するポイント付与手段と、クーポン発行要求を受け付けるクーポン発行要求受付手段と、前記クーポン発行要求を受け付けたことに基づいて、クーポンの発行指示を示すクーポン発行指示情報を送信する発行指示手段とを含むことを特徴とする。
【０００８】
上記のように構成したことで、資源回収への協力意欲を向上させることができ、資源の回収効率や回収率を高めることができるようになる。
【０００９】
前記クーポン発行要求を受け付けたときに、付与済のポイント値に応じたクーポンの発行枚数を決定する発行枚数決定手段と、クーポンの発行枚数分のクーポン識別コードを決定するコード決定手段と、決定したクーポン識別コードと、未使用である旨の現在状況情報とを含むクーポン管理情報を登録するクーポン管理情報登録手段とを含み、前記発行指示手段は、決定したクーポンの発行枚数と、決定したクーポン識別コードとを含むクーポン発行指示情報を送信する構成とされていてもよい。
【００１０】
決済に使用されるクーポンに印字されているクーポン識別コードを提示した解析要求を受け付ける解析要求受付手段と、前記クーポン管理情報を参照して、提示されたクーポン識別コードを認証するか否かを判定する認証判定手段と、該認証判定手段の判定結果を送信する判定結果送信手段とを含む構成とされていてもよい。
【００１１】
前記認証判定手段は、提示されたクーポン識別コードが前記クーポン管理情報として登録されているか否かを確認し、確認結果に応じて認証するか否かを判定するように構成されていてもよい。
【００１２】
前記クーポン管理情報登録手段は、クーポンを発行するユーザを示すユーザＩＤに、クーポン識別コードと、未使用である旨の現在状況情報とが対応付けされたクーポン管理情報を登録し、前記解析要求受付手段は、決済に使用されるクーポンに印字されているクーポン識別コードと、クーポンを使用するユーザのユーザＩＤとを提示した解析要求を受け付け、前記認証判定手段は、提示されたクーポン識別コードが提示されたユーザＩＤに対応付けされて登録されているか否かを確認し、確認結果に応じて認証するか否かを判定するように構成されていてもよい。
【００１３】
前記認証判定手段は、提示されたクーポン識別コードに対応付けされている現在状況情報が未使用である旨を示しているか否かを確認し、確認結果に応じて認証するか否かを判定するように構成されていてもよい。
【００１４】
前記認証判定手段が提示されたクーポン識別コードを認証すると決定したことに応じて、当該クーポン識別コードに対応付けされている現在状況情報を使用済である旨に更新する現在状況情報更新手段を含む構成とされていてもよい。
【００１５】
クーポン識別コードは、例えば、対応するクーポンを一意に特定可能なコードである。
【００１６】
前記資源は、例えば所定の回収ボックスに収容された状態で回収され、例えば、回収された回収ボックスの数に応じて付与される回収カウントの値が決定される。
【００１７】
前記閲覧判定手段は、ユーザに付与されている回収カウント値があらかじめ定められた所定値以上であるか否かを確認し、当該所定値以上であれば前記ウェブサイトの閲覧を許容すると判定するように構成されていてもよい。
【発明の効果】
【００１８】
本発明によれば、資源回収への協力意欲を向上させることができ、資源の回収効率や回収率を高めることができるようになる。
【発明を実施するための最良の形態】
【００１９】
以下、本発明の一実施の形態について図面を参照して説明する。
図１は、本発明の一実施の形態に係るクーポン関連情報管理システム１００の構成の例を示すブロック図である。図１に示すように、クーポン関連情報管理システム１００は、クーポン関連情報管理サーバ１０と、ユーザ端末２０と、小売店サーバ３１〜３Ｎ（Ｎ：任意の正の整数）と、リサイクル業者端末４０とを含む。クーポン関連情報管理サーバ１０、ユーザ端末２０、小売店サーバ３１〜３Ｎ、およびリサイクル業者端末４０は、それぞれ、例えばインターネットなどの通信ネットワーク５０に接続されている。
【００２０】
クーポン関連情報管理サーバ１０、および小売店サーバ３１〜３Ｎは、それぞれ、ＷＷＷサーバなどの情報処理装置によって構成される。
【００２１】
クーポン関連情報管理サーバ１０は、例えばクーポン関連情報管理システム１００のシステム管理者によって管理されるサーバであり、ユーザに付与されるクーポンに関連する各種の情報（クーポン関連情報）の管理などの各種の処理を行う。
【００２２】
クーポン関連情報管理サーバ１０は、クーポン関連情報が格納されるクーポン関連情報管理ＤＢ１１と、広告として使用される広告情報を格納する広告ＤＢ１２とを備えている。
【００２３】
クーポン関連情報は、食用油などの資源の回収に協力したユーザに対して付与される回収カウントに関する各種の情報（回収カウント管理情報）、付与されている回収カウントを用いて本システム１００を利用したユーザに対して付与されたポイントに関する各種の情報（ポイント管理情報）、付与されたポイントに基づき発行されたクーポンに関する各種の情報（クーポン管理情報）などの各種の情報を含む。なお、クーポン関連情報管理ＤＢ１１は、クーポン関連情報管理サーバ１０の内部にあっても外部にあってもよい。
【００２４】
広告情報は、閲覧されたサイトに関連する広告などの各種広告の情報であって、例えば、閲覧されたサイトの主題とされている商品の広告、閲覧されたサイトの主題とされている商品を使用したメニューのレシピ（メニューにおいて登場する使用材料の広告）などのその商品に関連した各種の広告、あるいはそのレシピや広告が掲載されているサイトにアクセスするための情報（具体的には、例えばＵＲＬ）などを含む。なお、広告ＤＢ１２は、クーポン関連情報管理サーバ１０の内部にあっても外部にあってもよい。
【００２５】
小売店サーバ３１〜３Ｎは、それぞれ、例えば各小売チェーンＡ〜Ｎを管理する小売チェーン管理者によって管理され、各小売チェーンＡ〜Ｎにて使用されるＰＯＳ情報を格納する小売チェーン商品マスタＤＢ３１ａ〜３Ｎａを備えている。小売店サーバ３１〜３Ｎは、それぞれ、例えば各小売チェーンＡ〜Ｎ内に設置される。小売店サーバ３１〜３Ｎには、各小売チェーンＡ〜Ｎ内に設置される小売店サーバ３１１と、各小売チェーンＡ〜Ｎ内で用いられるＰＯＳレジスタ３１２とが接続されている（小売店サーバ３１に接続されているもののみ図示されている。）。ＰＯＳレジスタは、購入金額支払所に設置されているレジスタであって、例えば商品に付されたＰＯＳシステム用のバーコード（ＰＯＳコードの一例：以下、ＰＯＳ用バーコードという。）を読み取り、ＰＯＳ用バーコードにもとづいて特定される商品名や商品価格を用いて購入内容をレシートへ印字する機能などの各種の機能を有する。また、小売店サーバ３１〜３Ｎは、それぞれ、図示はしないが、小売店サーバ３１〜３Ｎの処理前にＰＯＳデータイントラ処理を行うコンピュータなどが接続されている。また、小売店サーバ３１〜３Ｎは、それぞれ、例えば、商品に関連する事項をラベルに印字して、印字したラベルを該当する商品に貼付するラベル印字貼付装置（図示せず）を備えている。
【００２６】
ユーザ端末２０、およびリサイクル業者端末４０は、それぞれ、パーソナルコンピュータなどの情報処理装置によって構成される。ユーザ端末２０は、付与されている回収カウントを用いて本システム１００を利用するユーザによって管理される。リサイクル業者端末４０は、資源の回収やリサイクルを行うリサイクル業者によって管理される。
【００２７】
図２は、回収カウント管理情報が格納された回収カウント管理情報テーブルの例を示す説明図である。回収カウント管理情報は、消費者ＩＤと、消費者ＩＤが付与されているユーザに対して現在までに付与された回収カウントの総数を示すカウント総数と、カウント総数のうち使用されることなく残っている回収カウントの値を示す現在カウント残と、カウント総数のうち既に使用された回収カウントの値を示す使用済カウント数と、回収カウントを使用して閲覧したウェブサイトを特定可能な閲覧サイト情報と、ウェブサイトに掲載されていた広告のうちユーザが閲覧した広告の総数を示す閲覧広告総数とが対応付けされた情報である。
【００２８】
図３は、ポイント管理情報が格納されたポイント管理情報テーブルの例を示す説明図である。ポイント管理情報は、消費者ＩＤと、消費者ＩＤが付与されているユーザに対して現在までに付与されたポイントの総数を示すポイント総数と、ポイント総数のうちクーポンに変換されることなく残っているポイントの値を示す現在ポイント残と、ポイント総数のうちクーポンに変換されたポイントの値を示す使用済ポイント数とが対応付けされた情報である。
【００２９】
図４は、クーポン管理情報が格納されたクーポン管理情報テーブルの例を示す説明図である。クーポン管理情報は、消費者ＩＤと、消費者ＩＤが付与されているユーザに対して発行済のクーポン枚数を示す発行済クーポン枚数と、発行されたクーポンを一意に識別可能なクーポン識別コードと、対応するクーポン識別コードが付与されているクーポンの使用状況を識別するための使用状況フラグとが対応付けされた情報である。
【００３０】
次に、本例のクーポン関連情報管理システム１００の動作について説明する。
図５は、本例のクーポン関連情報管理システム１００におけるクーポン関連情報管理サーバ１０が実行する回収カウント管理情報登録処理の例を示すフローチャートである。
【００３１】
本例では、リサイクル業者から委託を受けた小売店側において、その小売店の配送車を用いて食用油を回収してリサイクル業者に納品する。すなわち、本例では、小売店にて販売された商品を小売店の配送車によって各消費者の自宅等に配達する際に、その配送車の乗務員が、使用済の食用油が入れられている回収ボックスを回収するものとする。そして、本例では、回収ボックスを提供した消費者に対して、回収ボックス１個ごとに１カウントが付与されるものとする。
【００３２】
ここでは、小売チェーンＡの配送車を用いて商品を配達する際に、使用済の食用油が入れられている回収ボックスをユーザＸ（消費者ＩＤ：０００１２３ＡＢＣ）から回収したものとする。この場合、回収内容の報告を受けた小売チェーンＡの担当者によって、回収ボックスを提供したユーザの消費者ＩＤと、そのユーザから回収した回収ボックスの数とが、小売店端末３１１に入力される。そして、小売店サーバ３１は、小売店端末３１１にて入力された消費者ＩＤと回収ボックス数とを含む回収カウント登録依頼情報を、通信ネットワーク５０を介してクーポン関連情報管理サーバ１０に送信する。
【００３３】
回収カウント管理情報登録処理において、先ず、クーポン関連情報管理サーバ１０は、小売店サーバ３１からの回収カウント登録依頼情報を受信すると（ステップＳ１０１）、受信した回収カウント登録依頼情報に含まれている消費者ＩＤを含む回収カウント管理情報（図２参照）を特定する（ステップＳ１０２）。本例では、消費者ＩＤ「０００１２３ＡＢＣ」を含む回収カウント管理情報が特定される。
【００３４】
そして、クーポン関連情報管理サーバ１０は、特定した回収カウント管理情報におけるカウント総数と現在カウント数とに、受信した回収カウント登録依頼情報に含まれている回収ボックス数を加算する（ステップＳ１０３）。
【００３５】
上記のようにして、消費者から回収ボックスを回収したことに応じて、回収した回収ボックスの数に応じた回収カウントが回収カウント管理情報に登録される。
【００３６】
図６は、本例のクーポン関連情報管理システム１００におけるクーポン関連情報管理サーバ１０が実行するサイト情報提供処理の例を示すフローチャートである。ここでは、カウント値が付与されているユーザＸ（消費者ＩＤ：０００１２３ＡＢＣ）からの閲覧要求に応じて、サイト情報が提供される場合を例に説明する。
【００３７】
先ず、ユーザＸは、ユーザ端末２０を操作して、クーポン関連情報管理サーバ１０にアクセスし、図７に示すようなサイト閲覧希望画面を示すサイト閲覧希望画面情報を取得し、ユーザ端末２０が備える表示装置にサイト閲覧希望画面を表示させる。次いで、ユーザＸは、サイト閲覧希望画面の消費者ＩＤ（ユーザＩＤ）入力領域１０１に、自己に割り当てられている消費者ＩＤを入力する。また、ユーザＸは、提供可能サイトリスト表示領域１０２に表示されている複数のウェブサイトの中から、閲覧を希望するウェブサイトを選択（例えばマウスクリックにより選択）する。ウェブサイトが選択されると、選択されたウェブサイト（例えばサイトＢ）が識別可能となるように、選択されたウェブサイトのサイト名が表示されている部分に囲いが付加される。そして、ユーザＸは、マウスなどの入力装置を操作することにより、決定ボタン１０３を押下する。決定ボタン１０３が押下されると、ユーザ端末２０は、入力された消費者ＩＤと選択されたウェブサイトを特定可能な閲覧希望サイト情報とを含むサイト閲覧要求情報をクーポン関連情報管理サーバ１０に対して送信する。
【００３８】
サイト情報提供処理において、クーポン関連情報管理サーバ１０は、ユーザ端末２０からのサイト閲覧要求情報を受け付けると（ステップＳ２０１）、クーポン関連情報管理ＤＢ１１に格納されている回収カウント管理情報（図２参照）を参照し、受け付けたサイト閲覧要求情報に含まれている消費者ＩＤ（例えば０００１２３ＡＢＣ）に対応付けされている現在カウント残を確認する（ステップＳ２０２）。
【００３９】
次に、クーポン関連情報管理サーバ１０は、本例では、確認した現在カウント残が０でなければ、受け付けたサイト閲覧要求情報に含まれている閲覧希望サイト情報が示すウェブサイトの閲覧を許可し、該当する回収カウント管理情報を更新する（ステップＳ２０３）。本例では、１カウント毎に１つのウェブサイトの閲覧を許容することとされている。従って、ステップＳ２０３では、現在カウント数を１減算し、使用済カウント数を１加算することで、回収カウント管理情報を更新する。
【００４０】
次に、クーポン関連情報管理サーバ１０は、広告ＤＢ１２を参照して、ステップＳ２０１にて受け付けたサイト閲覧要求情報に含まれている閲覧希望サイト情報が示すウェブサイト（例えばサイトに掲載されている商品）に関連する広告（例えば、その商品の広告、その商品と共に購入される可能性が高い商品の広告）を示す広告情報を検索する（ステップＳ２０４）。なお、任意の広告を選択して抽出するようにしてもよい。
【００４１】
そして、クーポン関連情報管理サーバ１０は、ステップＳ２０１にて受け付けたサイト閲覧要求情報に含まれている閲覧希望サイト情報が示すウェブサイトに、検索した広告情報が示す広告が掲載されたウェブサイトを示すサイト情報をユーザ端末２０に提供する（ステップＳ２０４）。ユーザ端末２０は、クーポン関連情報管理サーバ１０からのサイト情報を受信すると、サイト情報が示すウェブサイトを示すサイト画面を自己が備える表示装置に表示する。サイト画面には、例えば図８に示すように、消費者ＩＤを表示する消費者ＩＤ表示領域２０１と、サイトの内容を表示するサイト内容表示領域２０２と、広告を表示する広告表示領域２０３とが設けられている。広告表示領域２０３には、本例では、広告サイトにアクセスするためのリンク情報（例えばＵＲＬ）が掲載される。
【００４２】
サイト情報を提供すると、クーポン関連情報管理サーバ１０は、ユーザ端末２０における広告サイトへのアクセス状況を監視し、広告サイトへのアクセス回数を蓄積する（ステップＳ２０５）。
【００４３】
提供したウェブサイトの閲覧がユーザ端末２０にて終了されると、クーポン関連情報管理サーバ１０は、ユーザＸに付与するポイントを計算する（ステップＳ２０６）。このポイントの値は、ステップＳ２０５にて蓄積した広告サイトへのアクセス回数に応じて決定される。本例では、広告サイトに１回アクセスする毎に、１ポイントが付与されるものとする。ステップＳ２０６では、広告サイトへのアクセス回数をポイント値に変換する処理が行われる。なお、本例では、簡単のため、例えば各広告にアクセスする毎に１ポイントが付与されるものとしたが、付与されるポイントの割合はどのように設定されていてもよい。また、アクセスした広告の種類に応じて付与されるポイント数が異なるように設定されていてもよい。
【００４４】
ポイントを計算すると、クーポン関連情報管理サーバ１０は、算出したポイントをユーザＸに付与する（ステップＳ２０７）。具体的には、ポイント管理情報テーブルにおけるユーザＸのポイント総数と現在ポイント数に、算出したポイントを加算する。なお、このとき、回収カウント管理情報の閲覧広告総数にステップＳ２０５にて蓄積した広告サイトへのアクセス回数を加算し、回収カウント管理情報の閲覧サイトの欄にステップＳ２０４にて提供したサイト情報が示すウェブサイト（例えばタイトル、ＵＲＬ）を登録する。
【００４５】
図９は、本例のクーポン関連情報管理システム１００におけるクーポン関連情報管理サーバ１０が実行するクーポン発行処理の例を示すフローチャートである。ここでは、小売チェーンＡに来店したユーザ（例えば消費者）Ｘが小売店端末３１１を操作することにより指定された消費者ＩＤにより現在ポイント数を特定し、そのポイント数に応じてクーポンが発行される場合を例に説明する。
【００４６】
先ず、ユーザＸは、小売店端末３１１を操作して、図示しないクーポン発行要求画面の消費者ＩＤ入力領域に、自己に割り当てられている消費者ＩＤを入力する。そして、ユーザＸは、マウスなどの入力装置を操作することにより、クーポン発行要求画面に設けられているクーポン発行要求ボタンを押下する。クーポン発行要求ボタンが押下されると、小売店端末３１１は、入力された消費者ＩＤを小売店サーバ３１に送信する。すると、小売店サーバ３１は、受信した消費者ＩＤを含むクーポン発行依頼情報をクーポン関連情報管理サーバ１０に対して送信する。
【００４７】
クーポン発行処理において、クーポン関連情報管理サーバ１０は、小売店サーバ３１からクーポン発行依頼情報を受け付けると（ステップＳ３０１）、ポイント管理情報を参照し、クーポン発行依頼情報に含まれている消費者ＩＤに対応付けされているポイント（現在ポイント残）を検索する（ステップＳ３０２）。
【００４８】
次に、クーポン関連情報管理サーバ１０は、検索したポイントのポイント値に基づいて、クーポンの発行枚数を決定する（ステップＳ３０３）。本例では、換算比率は予め定められているものとする。具体的には、例えば１ポイントがクーポン１枚に換算されるものとすると、現在ポイント残が５であればクーポンの発行枚数は５枚となる。
【００４９】
クーポンの発行枚数を決定すると、クーポン関連情報管理サーバ１０は、発行枚数分のクーポン識別コードを決定する（ステップＳ３０４）。クーポン識別コードは、各クーポンを一意に識別可能なように定められるコードである。クーポン識別コードは、例えば、消費者ＩＤ、発行場所、発行枚数、参照した広告のタイトル（例えばＵＲＬ）などにもとづいて決定される。本例では、クーポン識別コードは、消費者ＩＤ（例えば「０００１２３ＡＢＣ」）と、発行場所（例えば小売チェーンＡであれば「Ａ」）と、該当する消費者に対する発行枚数とを組み合わせる（例えば並べる）ことによって決定される。消費者ＩＤが各消費者について一意であり、発行枚数は該当する消費者に対して一意であるため、決定されるクーポン識別コードは全て一意となる。例えば、消費者Ｘに対して５枚（トータルで１１枚目から１５枚目まで）発行されるクーポンのクーポン識別コードとして、「０００１２３ＡＢＣＡ１１」〜「０００１２３ＡＢＣＡ１５」が決定される。
【００５０】
次に、クーポン関連情報管理サーバ１０は、クーポン管理情報テーブルに登録されているクーポン管理情報（図４参照）を参照し、消費者Ｘに付与されている消費者ＩＤに対応付けされている「発行済クーポン枚数」にステップＳ３０３にて決定した発行枚数を加算するとともに、消費者Ｘに付与されている消費者ＩＤに対応付けされている「クーポン識別コード」の項目にステップＳ３０４にて決定したクーポン識別コードを登録し、登録した各クーポン識別コードの使用状況として初期情報である「未使用」を設定する（ステップＳ３０５）。
【００５１】
次に、クーポン関連情報管理サーバ１０は、ポイント管理情報を参照して、クーポンの発行に使用するポイント値を現在ポイント残から減算し、使用済ポイント数に使用したポイント数を加算する（ステップＳ３０６）。
【００５２】
そして、クーポン関連情報管理サーバ１０は、小売店サーバ３１に対して、クーポンの発行枚数と、決定した発行枚数分のクーポン識別コードとを通知する（ステップＳ３０７）。
【００５３】
小売店サーバ３１は、受信したクーポンの発行枚数とクーポン識別コードとを小売店端末３１１に送信する。小売店端末３１１は、受信した発行枚数分の受信したクーポン識別コードを印字したクーポンを発行する。発行されるクーポンには、例えば図１０に示すように、発行所と、発行日と、クーポン識別コードと、クーポン識別コードを示すコード情報（例えばバーコード）と、クーポンの価値とが印字される。なお、クーポン識別コード自体は印字されず、コード情報のみが印字されるようにしてもよい。なお、コード情報は、二次元バーコードであってもよい。図１０に示すクーポンは一例であり、どのようなデザインであってもよく、どのような金銭的価値が与えられているものであってもよい。
【００５４】
図１１は、本例のクーポン関連情報管理システム１００におけるクーポン関連情報管理サーバ１０が実行するクーポン解析処理の例を示すフローチャートである。ここでは、小売チェーンＡに来店したユーザ（例えば消費者）Ｘによって提示された発行済のクーポンを使用して決済を行う場合を例に説明する。
【００５５】
先ず、レジ担当者は、ユーザＸから提示されたクーポンのクーポン識別コードをＰＯＳレジスタ３１２に接続されたコードリーダを操作して読み取るとともに、ユーザＸから提示された消費者ＩＤをＰＯＳレジスタ３１２に入力する。ＰＯＳレジスタ３１２は、入力された消費者ＩＤと読み取ったクーポン識別コードとを小売店サーバ３１に送信する。すると、小売店サーバ３１は、受信した消費者ＩＤとクーポン識別コードとを含むクーポン解析依頼情報をクーポン関連情報管理サーバ１０に対して送信する。
【００５６】
クーポン解析処理において、クーポン関連情報管理サーバ１０は、小売店サーバ３１からクーポン解析依頼情報を受け付けると（ステップＳ４０１，Ｓ４０２）、クーポン管理情報を参照し、正規のクーポンであるか否か判定する（ステップＳ４０３）。具体的には、受信したクーポン解析依頼情報に含まれているクーポン識別コードが、受信したクーポン解析依頼情報に含まれている消費者ＩＤに対応付けされているか否かを確認し、そのクーポン識別コードがその消費者ＩＤに対応付けされていれば、正規のクーポンであると判定する。
【００５７】
正規のクーポンであれば、クーポン関連情報管理サーバ１０は、クーポン管理情報を参照し、受信したクーポン解析依頼情報に含まれているクーポン識別コードの使用状況が未使用であるか否か確認する（ステップＳ４０４）。具体的には、該当するクーポン識別コードに対応付けされている使用状況が「未使用」であるか確認する。
【００５８】
未使用であることを確認すると、クーポン関連情報管理サーバ１０は、該当するクーポンを認証した旨を示す解析結果情報を生成し（ステップＳ４０６）、該当するクーポン識別コードの使用状況を「使用済」に更新することでクーポン管理情報を更新し（ステップＳ４０７）、生成した解析結果情報を小売店サーバ３１に送信する（ステップＳ４０８）。
【００５９】
ステップＳ４０３にて正規のクーポンでないと判定した場合、あるいはステップＳ４０４にて使用済のクーポンであることを確認した場合には、クーポン関連情報管理サーバ１０は、該当するクーポンを認証できない旨（エラーである旨）を示す解析結果情報と生成し（ステップＳ４０５）、生成した解析結果情報を小売店サーバ３１に送信する（ステップＳ４０８）。なお、ステップＳ４０５にて、解析結果情報にエラーの理由（例えば、「ユーザＸに対して発行されたものでない」、「使用済である」）を含めるようにしてもよい。
【００６０】
以上に説明したように、上述した一実施の形態では、クーポン関連情報管理サーバ１０が、食用油などの資源を提出したユーザに対して付与された回収カウントを回収カウント管理情報テーブルに蓄積し、所定のウェブサイトの閲覧要求を示すサイト閲覧要求情報を受け付け、サイト閲覧要求情報が示す閲覧要求を受けたときに、回収カウント管理情報テーブルを参照してユーザに付与されている回収カウント値に基づいてウェブサイトの閲覧を許容するか否かを判定し、許容判定に応じてウェブサイトに掲載する広告を示す広告情報を検索し、検索した広告情報が示す広告が掲載されたウェブサイトを示すサイト情報を提供し、ウェブサイトに掲載された広告の閲覧状況に基づきポイント値を決定して付与し、クーポン発行要求を受け付けたことに基づいてクーポンの発行指示を示すクーポン発行指示情報を送信する構成としたので、資源回収への協力意欲を向上させることができ、資源の回収効率や回収率を高めることができるようになる。すなわち、ユーザにとっては、回収対象となっている資源を提出するだけで、買い物などに利用可能なクーポンを取得することが可能となるので、資源回収への協力意欲を向上させることができる。また、回収する資源の価値とは無関係に、回収カウントを利用して閲覧したウェブサイトに掲載されている広告の閲覧状況に応じて付与されるポイントにもとづきクーポンが発行されるので、閲覧された広告の広告料の一部または全部をクーポンの価値に割り当てることも可能となり、資源の価値とは無関係にクーポンの価値を高く設定することも可能となる。このように、クーポンの価値を高く設定することが可能であるため、資源の回収効率や回収率を高めることができるようになる。
【００６１】
また、上述した実施の形態では、クーポン関連情報管理サーバ１０が、クーポンの発行要求を受け付けたときに、付与済のポイント値に応じたクーポンの発行枚数と、クーポンの発行枚数分のクーポン識別コードとを決定し、決定したクーポン識別コードと、未使用である旨の現在状況情報とを含むクーポン管理情報を登録し、決定したクーポンの発行枚数とクーポン識別コードとを含むクーポン発行指示情報を送信する。そして、クーポン関連情報管理サーバ１０が、決済に使用されるクーポンに印字されているクーポン識別コードを提示した解析要求を受け付け、クーポン管理情報を参照して、提示されたクーポン識別コードを認証するか否かを判定し、判定結果を送信する。このように構成されているので、商品情報の提供を行うシステムの利用者に対して付与される特典（クーポン）の不正使用を防止することができ、特典の不正な複製を抑制することができるようになる。すなわち、広告の閲覧数に基づき付与されるポイントに応じて発行されるクーポンの不正使用を防止することができる。
【００６２】
また、上述した実施の形態では、クーポン関連情報管理サーバ１０が、提示されたクーポン識別コードがクーポン管理情報として登録されているか否かを確認し、確認結果に応じて認証するか否かを判定する構成とされているので、発行した履歴のない不正なクーポンが使用されることを防止することができる。
【００６３】
また、上述した実施の形態では、クーポン関連情報管理サーバ１０が、クーポンを発行するユーザを示すユーザＩＤに、クーポン識別コードと、未使用である旨の現在状況情報とが対応付けされたクーポン管理情報を登録し、決済に使用されるクーポンに印字されているクーポン識別コードと、クーポンを使用するユーザのユーザＩＤとを提示した解析要求を受け付け、提示されたクーポン識別コードが提示されたユーザＩＤに対応付けされて登録されているか否かを確認し、確認結果に応じて認証するか否かを判定する構成とされているので、クーポンを発行したユーザでない他の者によってそのクーポンが使用されることを防止することができる。また、クーポンを発行したユーザでないにもかかわらず、そのクーポンに印字されているはずのクーポン識別コードが印字されたクーポンが提示されたときに、そのクーポンが不正なクーポンであるとみなすこととして、不正なクーポンが使用されることを防止することができる。
【００６４】
また、上述した実施の形態では、クーポン関連情報管理サーバ１０が、提示されたクーポン識別コードに対応付けされている現在状況情報が未使用である旨を示しているか否かを確認し、確認結果に応じて認証するか否かを判定する構成とされているので、使用済であるはずのクーポンが提示されたときに、そのクーポンが不正なクーポンであるとみなすこととして、複製された不正なクーポンが使用されることを防止することができる。
【００６５】
また、上述した実施の形態では、所定の回収ボックスに収容された状態で資源が回収され、回収された回収ボックスの数に応じて付与される回収カウントの値が決定されるようにしているので、資源を簡単に回収することができる。
【００６６】
また、上述した実施の形態では、クーポン関連情報管理サーバ１０が、ユーザに付与されている回収カウント値があらかじめ定められた所定値以上であるか否かを確認し、当該所定値以上であればウェブサイトの閲覧を許容すると判定する構成としているので、直接的には回収カウント値に応じて所定のウェブサイトへのアクセス権限を付与することとして、クーポンを取得可能なポイントを取得するための広告へのアクセスを誘導することが可能となる。
【００６７】
なお、上述した実施の形態では、クーポン関連情報管理サーバ１０が、未使用であることを確認し、該当するクーポンを認証した旨を示す解析結果情報を生成し（ステップＳ４０６）、該当するクーポン識別コードの使用状況を「使用済」に更新することでクーポン管理情報を更新したあとに（ステップＳ４０７）、生成した解析結果情報を小売店サーバ３１に送信する（ステップＳ４０８）構成としていたが、クーポン関連情報管理サーバ１０が、クーポン管理情報を更新することなく解析結果情報を小売店サーバ３１に送信し、小売店サーバ３１が、クーポンの発行が完了したあとにその旨をクーポン関連情報管理サーバ１０に通知し、その通知を受けたあとにクーポン関連情報管理サーバ１０が該当するクーポン識別コードの使用状況を「使用済」に更新することでクーポン管理情報を更新することとしてもよい。
【００６８】
また、上述した実施の形態では、回収対象の資源の例として食用油を挙げていたが、紙パックなどのリサイクル可能な容器や、電池などの他の資源であってもよい。
【産業上の利用可能性】
【００６９】
本発明によれば、資源回収への協力意欲を向上させ、資源の回収効率や回収率を高めるのに有用である。
【図面の簡単な説明】
【００７０】
【図１】本発明の一実施の形態に係るクーポン関連情報管理システムの構成の例を示すブロック図である。
【図２】回収カウント管理情報の例を示す説明図である。
【図３】ポイント管理情報の例を示す説明図である。
【図４】クーポン管理情報の例を示す説明図である。
【図５】回収カウント管理情報登録処理の例を示すフローチャートである。
【図６】サイト情報提供処理の例を示すフローチャートである。
【図７】サイト閲覧希望画面の例を示す説明図である。
【図８】ウェブサイト表示画面の例を示す説明図である。
【図９】クーポン発行処理の例を示すフローチャートである。
【図１０】クーポンの例を示す説明図である。
【図１１】クーポン解析処理の例を示すフローチャートである。
【符号の説明】
【００７１】
１０        クーポン関連情報管理サーバ
１１        クーポン関連情報管理ＤＢ
１２        広告ＤＢ
２０        ユーザ端末
３１〜３Ｎ  小売店サーバ
４０        リサイクル業者端末
５０        通信ネットワーク
１００      クーポン関連情報管理システム
【図１】
2008310544.tif 000003
【図２】
2008310544.tif 000004
【図３】
2008310544.tif 000005
【図４】
2008310544.tif 000006
【図５】
2008310544.tif 000007
【図６】
2008310544.tif 000008
【図７】
2008310544.tif 000009
【図８】
2008310544.tif 000010
【図９】
2008310544.tif 000011
【図１０】
2008310544.tif 000012
【図１１】
2008310544.tif 000013